(57)【要約】【課題】  印刷装置が第１省電力状態に移行した場合には印刷制御装置をオフ状態に移行させ、印刷装置が第２省電力状態に移行した場合には印刷制御装置を省電力状態に移行させる。【解決手段】  印刷制御装置と印刷装置とを備える印刷システムであって、印刷装置は、印刷制御装置から送信されるデータを受信する受信手段と、印刷装置を、受信手段への電力供給が停止される第１省電力状態、及び受信手段へ電力が供給される第２省電力状態に移行する電源制御手段と、を備え、印刷制御装置は、印刷装置の電力状態を取得する取得手段と、取得手段によって取得された印刷装置の電力状態が第１省電力状態である場合、印刷制御装置をオフ状態に移行させ、取得手段によって取得された印刷装置の電力状態が第２省電力状態である場合、印刷装置を第２省電力状態から復帰させるための起床パケットを送信することが可能な省電力状態に移行させる制御手段と、を備える。【選択図】  図１０
2020053087.tif 000002
【特許請求の範囲】
【請求項１】
画像データを生成する印刷制御装置と、画像データを使って印刷を行う印刷装置と、一方端が前記印刷制御装置に接続され且つ他方端が前記印刷装置に接続され、画像データを送信する第１ケーブルと、一方端が前記印刷制御装置に接続され且つ他方端が前記印刷装置に接続される第２ケーブルと、を備える印刷システムであって、
前記印刷装置は、
電源スイッチと、
前記印刷装置をオフ状態にする電力制御手段と、を備え、
前記印刷制御装置は、
前記印刷制御装置をオフ状態にする制御手段、を備え、
前記電源スイッチの操作に従って、前記電力制御手段は前記印刷装置をオフ状態にし、前記制御手段は前記第２ケーブルを介して受信した所定の信号に従って前記印刷制御装置をオフ状態にする、ことを特徴とする印刷システム。
【請求項２】
前記印刷装置は、
前記所定の信号を送信する送信手段をさらに備え、
前記電源スイッチの操作に従って、前記送信手段は前記所定の信号を送信し、前記電力制御手段は前記印刷装置をオフ状態にし、前記制御手段は前記第２ケーブルを介して受信した前記所定の信号に従って前記印刷制御装置をオフ状態にする、ことを特徴とする請求項１に記載の印刷システム。
【請求項３】
前記第１ケーブルは、ラスター画像データを送信するケーブルである、ことを特徴とする請求項１又は２に記載の印刷システム。
【請求項４】
前記印刷制御装置は、
前記第１ケーブルが接続される第１インターフェース回路と、
前記第２ケーブルが接続される第２インターフェース回路と、
外部装置と通信するための第３ケーブルが接続される第３インターフェース回路と、を備える、ことを特徴とする請求項１乃至３の何れか１項に記載の印刷システム。
【請求項５】
前記電源スイッチの操作に従って前記印刷装置及び前記印刷制御装置をオフ状態にする設定手段をさらに備える、ことを特徴とする請求項１乃至４の何れか１項に記載の印刷システム。
【請求項６】
前記設定手段によって前記印刷装置及び前記印刷制御装置をオフ状態にするよう設定している場合、前記電源スイッチの操作に従って前記印刷装置及び前記印刷制御装置をオフ状態にし、前記設定手段によって前記印刷装置及び前記印刷制御装置をオフ状態にするよう設定していない場合、前記電源スイッチの操作に従って前記印刷装置をオフ状態にするが前記印刷制御装置はオフ状態にしない、ことを特徴とする請求項５に記載の印刷システム。
【請求項７】
前記設定手段は、前記電源スイッチの操作に従って前記印刷装置及び前記印刷制御装置の電力状態を連動させる設定手段である、ことを特徴とする請求項５又は６に記載の印刷システム。
【請求項８】
前記設定手段によって前記印刷装置及び前記印刷制御装置の電力状態を連動させるよう設定している場合、前記電源スイッチの操作に従って前記印刷装置及び前記印刷制御装置をオフ状態にし、且つ、前記電源スイッチの操作に従って前記印刷装置及び前記印刷制御装置をオン状態にする、ことを特徴とする請求項７に記載の印刷システム。
【請求項９】
前記電源スイッチの操作に従って前記印刷装置及び前記印刷制御装置をオフ状態にする設定を入力する画面を表示する表示手段をさらに備える、ことを特徴とする請求項１乃至８の何れか１項に記載の印刷システム。
【請求項１０】
前記印刷装置は、前記表示手段を備える、ことを特徴とする請求項９に記載の印刷システム。
【請求項１１】
前記第１ケーブルは、画像データを送信するケーブルであって、前記第２ケーブルは、コマンドを送信するケーブルである、ことを特徴とする請求項１乃至１０の何れか１項に記載の印刷システム。
【請求項１２】
前記電力制御手段は、予め設定された設定値に基づいて、前記電源スイッチの操作に従って前記印刷装置を前記オフ状態または省電力状態にする、ことを特徴とする請求項１乃至１１の何れか１項に記載の印刷システム。
【請求項１３】
前記印刷装置は、原稿の画像を読み取り、読み取られた原稿の画像の画像データを使って印刷を行う、ことを特徴とする請求項１乃至１１の何れか１項に記載の印刷システム。
【請求項１４】
画像データを生成する印刷制御装置と、画像データを使って印刷を行う印刷装置と、一方端が前記印刷制御装置に接続され且つ他方端が前記印刷装置に接続され、画像データを送信する第１ケーブルと、一方端が前記印刷制御装置に接続され且つ他方端が前記印刷装置に接続される第２ケーブルと、を備える印刷システムの印刷装置であって、
電源スイッチと、
前記印刷装置をオフ状態にする電力制御手段と、
前記第２ケーブルを介して前記印刷制御装置をオフ状態にするための信号を送信する送信手段と、を備え、
前記電源スイッチの操作に従って、前記電力制御手段は前記印刷装置をオフ状態にし、前記送信手段は前記第２ケーブルを介して前記所定の信号を前記印刷制御装置に送信する、ことを特徴とする印刷装置。
【請求項１５】
前記第１ケーブルは、ラスター画像データを送信するケーブルである、ことを特徴とする請求項１４に記載の印刷装置。
【請求項１６】
前記電源スイッチの操作に従って前記印刷装置及び前記印刷制御装置をオフ状態にする設定手段をさらに備える、ことを特徴とする請求項１４又は１５に記載の印刷装置。
【請求項１７】
前記設定手段によって前記印刷装置及び前記印刷制御装置をオフ状態にするよう設定している場合、前記電源スイッチの操作に従って前記印刷装置をオフ状態にし且つ前記所定の信号を前記印刷制御装置に送信し、前記設定手段によって前記印刷装置及び前記印刷制御装置をオフ状態にするよう設定していない場合、前記電源スイッチの操作に従って前記印刷装置をオフ状態にするが前記所定の信号を前記印刷制御装置に送信しない、ことを特徴とする請求項１６に記載の印刷装置。
【請求項１８】
前記設定手段は、前記電源スイッチの操作に従って前記印刷装置及び前記印刷制御装置の電力状態を連動させる設定手段である、ことを特徴とする請求項１６又は１７の何れか１項に記載の印刷装置。
【請求項１９】
前記設定手段によって前記印刷装置及び前記印刷制御装置の電力状態を連動させるよう設定している場合、前記電源スイッチの操作に従って前記印刷装置をオフ状態にし且つ前記所定の信号を前記印刷制御装置に送信し、前記設定手段によって前記印刷装置及び前記印刷制御装置の電力状態を連動させるよう設定していない場合、前記電源スイッチの操作に従って前記印刷装置をオフ状態にするが前記所定の信号を前記印刷制御装置に送信しない、ことを特徴とする請求項１８に記載の印刷装置。
【請求項２０】
前記電源スイッチの操作に従って前記印刷装置及び前記印刷制御装置をオフ状態にする設定を入力する画面を表示する表示手段をさらに備える、ことを特徴とする請求項１４乃至１９の何れか１項に記載の印刷装置。
【請求項２１】
前記第１ケーブルは、画像データを送信するケーブルであって、前記第２ケーブルは、コマンドを送信するケーブルである、ことを特徴とする請求項１４乃至２０の何れか１項に記載の印刷装置。
【請求項２２】
前記電力制御手段は、予め設定された設定値に基づいて、前記電源スイッチの操作に従って前記印刷装置を前記オフ状態または省電力状態にする、ことを特徴とする請求項１４乃至２１の何れか１項に記載の印刷装置。
【請求項２３】
原稿の画像を読み取り、読み取られた原稿の画像の画像データを使って印刷を行う、ことを特徴とする請求項１４乃至２２の何れか１項に記載の印刷システム。
【請求項２４】
画像データを生成する印刷制御装置と、画像データを使って印刷を行う印刷装置と、一方端が前記印刷制御装置に接続され且つ他方端が前記印刷装置に接続され、画像データを送信する第１ケーブルと、一方端が前記印刷制御装置に接続され且つ他方端が前記印刷装置に接続される第２ケーブルと、を備える印刷システムの前記印刷制御装置の電力制御方法であって、
前記印刷装置に設けられる電源スイッチを操作するステップと、
前記電源スイッチの操作に従って、前記印刷装置をオフ状態にし、前記第２ケーブルを介して前記印刷制御装置をオフ状態にする所定の信号を送信するステップと、
前記所定の信号に従って、前記印刷制御装置をオフ状態にするステップと、を有することを特徴とする電力制御方法。
【発明の詳細な説明】
【技術分野】
【０００１】
本発明は、印刷システム、前記印刷システムを構成する印刷装置、電力制御方法に関する。
【背景技術】
【０００２】
外部装置から印刷ジョブを受信して印刷ジョブに従ってラスター画像データを生成する印刷制御装置と、印刷制御装置から受信したラスター画像データを用いて印刷を行う印刷装置と、を備えた印刷システムが知られている（特許文献１参照）。
【０００３】
特許文献１に開示される印刷装置は、印刷制御装置から送信されるラスター画像データを受信するためのビデオインターフェース回路と、印刷制御装置から送信される制御情報を受信するためのＮ／Ｗインターフェース回路と、を備えている。なお、上記した制御情報は、ラスター画像データを使った印刷を実行させるためのコマンドなどである。
【０００４】
この印刷装置は、一定時間使用されない等の条件で、省電力状態に移行する。省電力状態では、Ｎ／Ｗインターフェース回路への電力供給は維持するが、ビデオインターフェース回路への電力供給を停止することによって、省電力状態における画像形成装置の消費電力の低減を図っている。
【先行技術文献】
【特許文献】
【０００５】
【特許文献１】特開２００３−７２１９８号公報
【発明の概要】
【発明が解決しようとする課題】
【０００６】
引用文献１に開示されるように、従来から、印刷装置の省電力化について、種々提案されている。さらに、近年の製品に対する省エネ志向の高まりから、印刷装置の省電力化がより一層望まれている。例えば、欧州では、エネルギー使用製品はＥｕＰ指令（Ｄｉｒｅｃｔｉｖｅ  ｏｎ  Ｅｃｏ−Ｄｅｓｉｇｎ  ｏｆ  Ｅｎｅｒｇｙ−ｕｓｉｎｇ  Ｐｒｏｄｕｃｔｓ）Ｌｏｔ６の規格を満足する必要がある。このＬｏｔ６を満足するためには、一定時間の間、製品に対する操作が無い場合には、自動的に０．５ｗ以下の状態に移行しなければならない。
【０００７】
この０．５ｗ以下の状態を実現するために、印刷装置をサスペンド状態やハイバネーション状態に移行させる技術が知られている。サスペンド状態とは、印刷装置のメインメモリへの電力供給を維持したまま、当該メインメモリを除く部分への電力供給を停止する状態である。印刷装置は、サスペンド状態から復帰する場合に、メインメモリに記憶された作業状態を用いて復帰することができるので、アプリケーションやＯＳなどを起動する通常起動に比べて、高速起動が可能となる。また、ハイバネーション状態とは、印刷装置のメインメモリ上の作業状態をハードディスク装置にコピーして、ハードディスク装置を含め印刷装置の各部への電力供給を停止する状態である。印刷装置は、ハイバネーション状態から復帰する場合に、ハードディスク装置に記憶された作業状態を用いて復帰することができるので、アプリケーションやＯＳなどを起動する通常起動に比べて、高速起動が可能となる。ハイバネーション状態は、サスペンド状態に比べて、メインメモリへの電力供給も停止するのでサスペンド状態より消費電力は小さいが、ハードディスク装置にコピーされた作業状態を読み出す必要があるので、サスペンド状態に比べて起動が遅くなる。
【０００８】
そして、近年では、印刷システムの全体としての省電力化を図るために、上記した印刷装置に加えて、印刷制御装置の省電力化が図られている。
【０００９】
しかしながら、印刷装置が上記したサスペンド状態やハイバネーション状態（以下、第１省電力状態とする）に移行した場合に、印刷制御装置を省電力状態にしても、印刷システム全体として消費電力が無駄になる場合がある。なぜなら、印刷装置が上記したサスペンド状態やハイバネーション状態の場合、外部装置からデータを受信するためのインターフェースへの電力供給が停止される。この場合に、印刷制御装置が外部装置から印刷ジョブを受信したとしても、印刷装置は印刷制御装置によって生成されたラスター画像データを受信することができない。このように、印刷装置が印刷制御装置からデータを受信できない省電力状態に移行した場合に、当該印刷装置にデータを送信する印刷制御装置を省電力状態で起動させていても電力の無駄になる。
【００１０】
一方で、印刷装置は、上記したサスペンド状態やハイバネーション状態だけでなく、印刷制御装置からデータを受信するためのインターフェースなどの最小限の部分に電力を供給するスリープ状態（以下、第２省電力状態とする）にも移行することが可能である。印刷装置がスリープ状態に移行した場合、印刷装置は印刷制御装置から送信されるラスター画像データを受信した場合に、当該スリープ状態から復帰することができる。つまり、印刷装置がスリープ状態に移行した場合には、当該スリープ状態の印刷装置を印刷制御装置からのデータの送信によって復帰させるために印刷制御装置を起動させておくことが望ましい。しかし、印刷制御装置を単に起動しておくと、印刷システム全体として消費電力が多くなってしまう。
【００１１】
そこで、本発明は、印刷装置と印刷制御装置とを備える印刷システムにおける電力消費を抑制することを目的とする。
【課題を解決するための手段】
【００１２】
本発明の印刷システムは、画像データを生成する印刷制御装置と、画像データを使って印刷を行う印刷装置と、一方端が前記印刷制御装置に接続され且つ他方端が前記印刷装置に接続され、画像データを送信する第１ケーブルと、一方端が前記印刷制御装置に接続され且つ他方端が前記印刷装置に接続される第２ケーブルと、を備える印刷システムであって、前記印刷装置は、電源スイッチと、前記印刷装置をオフ状態にする電力制御手段と、を備え、前記印刷制御装置は、前記印刷制御装置をオフ状態にする制御手段、を備え、前記電源スイッチの操作に従って、前記電力制御手段は前記印刷装置をオフ状態にし、前記制御手段は前記第２ケーブルを介して受信した所定の信号に従って前記印刷制御装置をオフ状態にする。
【発明の効果】
【００１３】
本発明の印刷システムによれば、印刷装置が第１省電力状態に移行した場合には印刷制御装置を電源オフ状態に移行させることができる。これにより、印刷制御装置で無駄に電力が消費されるのを防止することができる。また、印刷装置が第２省電力状態に移行した場合には印刷制御装置を省電力状態に移行させることができる。これにより、印刷制御装置が外部装置から印刷ジョブなどを受信した場合に、印刷装置を第２省電力状態から移行させることができる。この場合、印刷制御装置における電力消費を抑制することができる。
【図面の簡単な説明】
【００１４】
【図１】印刷システムの全体構成を示すブロック図
【図２】印刷装置と印刷制御装置のハードブロック図
【図３】印刷装置の電源ブロック図
【図４】スリープ状態の印刷装置を示した図
【図５】サスペンド状態の印刷装置を示した図
【図６】電源オフ状態の印刷装置を示した図
【図７】印刷装置が省電力状態に移行する場合に実行するフローチャート
【図８】復帰要因を検知した電源制御部が実行するフローチャート
【図９】印刷制御装置の電力制御を行う印刷装置のフローチャート
【図１０】印刷制御装置が実行するフローチャート
【図１１】高速起動を有効にするか無効にするかを選択する画面
【図１２】第２実施形態の印刷装置が省電力状態に移行する場合に実行するフローチャート
【図１３】第２実施形態の印刷制御装置が実行するフローチャート
【図１４】印刷装置の電力状態と印刷制御装置の電力状態とを連動させるかどうかを選択する画面
【図１５】第３実施形態の印刷制御装置が実行するフローチャート
【発明を実施するための形態】
【００１５】
［第１実施形態］
＜画像形成システムの全体構成＞
図１は、印刷システム１００の全体構成を示すブロック図である。
【００１６】
印刷システム１００は、印刷制御装置１０２と、前記印刷制御装置１０２とは別体の印刷装置１０３と、を備えている。そして、この印刷システム１００は、クライアントコンピュータ１０１と通信可能に接続されている。クライアントコンピュータ１０１と印刷制御装置１０２とは、Ｌｏｃａｌ  Ａｒｅａ  Ｎｅｔｗｏｒｋ（ＬＡＮ）１１０を介して通信可能に接続されている。印刷制御装置１０２とＬＡＮ１１０とは、イーサネット（登録商標）ケーブル１０９で接続されている。また、印刷制御装置１０２と印刷装置１０３とは、ビデオケーブル１０７および制御ケーブル１０８を介して接続されている。なお、本実施形態では、印刷装置１０３は、ＬＡＮ１１０に直接接続されていないが、印刷装置１０３は、ＬＡＮ１１０に直接接続されても良い。
【００１７】
クライアントコンピュータ１０１は、プリンタドライバを用いてプリントジョブ（印刷ジョブ）を生成して、生成したプリントジョブを印刷制御装置１０２に送信する。このプリントジョブは、ページ記述言語（ＰＤＬ：Ｐａｇｅ  Ｄｅｓｃｒｉｐｔｉｏｎ  Ｌａｎｇｕａｇｅ）で記述されたＰＤＬデータである。なお、プリントジョブは、ＰＤＬデータに限定されるものでなく、ＪＰＥＧなどの所定の圧縮方式に従った画像データや、ビットマップデータであっても良い。
【００１８】
印刷制御装置１０２は、クライアントコンピュータ１０１から送信されたプリントジョブを解釈して、ラスター画像データを生成する。そして、印刷制御装置１０２は、生成したラスター画像データ、及び、ラスター画像データを用いた印刷を印刷装置１０３に実行させるための制御コマンド、を印刷装置１０３に送信する。ラスター画像データは、ビデオケーブル１０７を介して、印刷装置１０３に送信される。また、制御コマンド（印刷の開始を指示するコマンド、給紙段、印刷部数、印刷レイアウトなどを指定するコマンドなど）は、制御ケーブル１０８を介して、印刷装置１０３に送信される。
【００１９】
印刷装置１０３は、印刷制御装置１０２から送信される制御コマンドに従って、ラスター画像データを用いた印刷を行う。本実施形態の印刷装置１０３は、プリント機能だけでなく、スキャン機能、コピー機能、ＢＯＸ機能、ＳＥＮＤ機能などの様々な機能を有するＭＦＰ（Ｍｕｌｔｉｆｕｎｃｔｉｏｎ  Ｐｅｒｉｐｈｅｒａｌ）である。また、印刷装置１０３は、製本機能やステイプル機能などを有しても良い。
【００２０】
図１に示すように、印刷装置１０３は、スキャナ部１０４、プリンタ部１０５および操作部１０６を備えている。スキャナ部１０４は、原稿台に置かれた原稿の画像を読み取って、当該画像に対応する画像データを生成する。プリンタ部１０５は、ラスター画像データに基づいて印刷を行う。プリンタ部１０５は、電子写真方式の印刷機構を含む。この印刷機構は、感光体ドラム１０５ａと、感光体ドラム１０５ａ上に静電潜像を形成する露光装置（図示しない）と、静電潜像をトナー現像する現像装置（図示しない）と、印刷用紙に転写されたトナー像を印刷用紙に定着させる定着器１０５ｂと、を含む。また、操作部１０６は、表示部１０６ａと入力部１０６ｂとを有する。表示部１０６ａは、例えば、液晶ディスプレイであって、入力部１０６ｂは、例えば、節電ボタン１０６ｃ、タッチパネル、各種ボタンである。
【００２１】
図２は、印刷装置と印刷制御装置のハードブロック図である。
【００２２】
次に、図２を参照して、印刷装置１０３のコントローラ１３０の詳細を説明する。コントローラ１３０は、印刷装置１０３の全体の動作制御、状態管理、画像処理などを行う。例えば、コントローラ１３０は、操作部１０６、スキャナ部１０４およびプリンタ部１０５の動作を制御する。
【００２３】
コントローラ１３０は、ＣＰＵ１３１、ＲＯＭ１３２、ＲＡＭ（メインメモリ）１３３、ＨＤＤ１３４、電源制御部１３５及び画像処理部１３６を備える。また、コントローラ１３０は、ビデオインターフェース（ビデオＩ／Ｆ）１３７、ネットワークインターフェース（ネットワークＩ／Ｆ）１３８及びシステムバス１３９を備える。
【００２４】
ＣＰＵ１３１は、記憶装置（ＲＯＭ１３２、ＨＤＤ１３４）に格納されたプログラムを実行して、印刷装置１０３の各部の制御を行う。ＲＡＭ１３３は、ＣＰＵ１３１のワークメモリとして使用される。ＨＤＤ１３４は、大容量の記憶装置であり、ＣＰＵ１３１により実行される各種制御プログラムおよび画像データを格納している。画像処理部１３６は、画像信号線を介してスキャナ部１０４及びプリンタ部１０５に接続される。ビデオＩ／Ｆ１３７は、ビデオケーブル１０７を介して印刷制御装置１０２に接続される。また、ネットワークＩ／Ｆ１３８は、制御ケーブル１０８を介して印刷制御装置１０２に接続される。ビデオＩ／Ｆ１３７は、ラスター画像データを、ビデオケーブル１０７を介して印刷制御装置１０２に送信する。また、ネットワークＩ／Ｆ１３８は、制御コマンドを、制御ケーブル１０８を介して印刷制御装置１０２に送信する。また、電源制御部１３５は、印刷装置１０３の各部への電力供給と停止とを制御する。
【００２５】
次に、図２を参照して、印刷制御装置の詳細を説明する。
【００２６】
印刷制御装置１０２は、ＣＰＵ１２１、メモリ１２２、ＨＤＤ１２３、ビデオＩ／Ｆ１２４、ネットワークＩ／Ｆ１２５およびネットワークＩ／Ｆ１２６を備える。以下、印刷装置１０３と通信を行うためのネットワークＩ／Ｆ１２５を内部ネットワークＩ／Ｆ１２５と呼び、クライアントコンピュータ１０１と通信を行うためのネットワークＩ／Ｆ１２６を外部ネットワークＩ／Ｆ１２６と呼ぶ。
【００２７】
ＣＰＵ１２１は、記憶装置（メモリ１２２、ＨＤＤ１２３）に格納されたプログラムを実行して、印刷制御装置１０２の各部の制御を行う。メモリ１２２は、ＣＰＵ１３１のワークメモリとして使用される。ＨＤＤ１２３は、大容量の記憶装置であり、ＣＰＵ１２１により実行される各種制御プログラムおよび画像データを格納している。ビデオＩ／Ｆ１２４は、ビデオケーブル１０７を介して印刷装置１０３に接続される。また、内部ネットワークＩ／Ｆ１２５は、制御ケーブル１０８を介して印刷装置１０３に接続される。外部ネットワークＩ／Ｆ１２６は、イーサネット（登録商標）ケーブル１０９を介してＬＡＮ１１０に接続される。
【００２８】
図３は、印刷装置１０３の電源ブロック図である。
【００２９】
図３を参照して、印刷装置１０３の電源系について詳細に説明する。
【００３０】
印刷装置１０３は、第１電源供給部１５１、第２電源供給部１５２および第３電源供給部１５３を備える。第１電源供給部１５１は、プラグＰを介して供給される交流電源から約５．０Ｖの直流電源を生成する。そして、第１電源供給部１５１は、生成した直流電源をネットワークＩ／Ｆ１３８、ＣＰＵ１３１、ＲＡＭ１３３、ＲＯＭ１３２、ＨＤＤ１３４、電源制御部１３５および、操作部１０６の節電ボタン１０６ｃに供給する。以下、第１電源供給部１５１から電源の供給を受けるデバイスを、第１電源系統デバイスと呼ぶ。
【００３１】
また、第２電源供給部１５２は、プラグＰを介して供給される交流電源から約１２．０Ｖの直流電源を生成する。そして、第２電源供給部１５２は、生成した直流電源を表示部１０６ｂ、画像処理部１３６、ビデオＩ／Ｆ１３７に供給する。以下、第２電源供給部１５２から電源の供給を受けるデバイスを、第２電源系統デバイスと呼ぶ。
【００３２】
また、第３電源供給部１５３は、プラグＰを介して供給される交流電源から約２４．０Ｖの直流電源を生成する。そして、第３電源供給部１５３は、生成した直流電源をプリンタ部１０５およびスキャナ部１０４に供給する。以下、第３電源供給部１５３から電源の供給を受けるデバイスを、第３電源系統デバイスと呼ぶ。
【００３３】
第１電源供給部１５１と第１電源系統デバイスとの間には、ユーザの操作に応じてオン状態またはオフ状態になる電源スイッチ１５４が配置されている。この電源スイッチ１５４は、ユーザの操作に応じてオン状態またはオフ状態になるシーソースイッチ１５４ａと、シーソースイッチ１５４ａをオフ状態にするためのソレノイド１５４ｂと、を有している。
【００３４】
また、電源スイッチ１５４と並列に、第１電源供給部１５１によって生成された電力を第１電源系統デバイスに供給するためのリレースイッチ１５５が配置される。電源スイッチ１５４がユーザの操作によってオフ状態になったとしても、リレースイッチ１５５を介して第１電源供給部１５１から第１電源系統デバイスに電力が供給される。電源スイッチ１５４がオフ状態になったことは、信号ＳＥＥＳＡＷを介して電源制御部１３５に通知される。電源制御部１３５は、電源スイッチ１５４がオフ状態になった場合に、ＣＰＵ１３１に対してシャットダウン処理を実行するよう指示する。そして、ＣＰＵ１３１によってシャットダウン処理が実行されると、電源制御部１３５は、信号ＳＨＵＴＯＦＦを介して、リレースイッチ１５５をオフ状態にする。これにより、印刷装置１０３が電源オフ状態になる。
【００３５】
また、プラグＰと第２電源供給部１５２との間には、プラグＰから第２電源供給部１５２への電力の供給と遮断とを切り替えるリレースイッチ１５６が配置される。また、プラグＰと第３電源供給部１５３との間には、プラグＰから第３電源供給部１５３への電力の供給と遮断とを切り替えるリレースイッチ１５７が配置される。
【００３６】
また、ＣＰＵ１３１、ＲＯＭ１３２およびＨＤＤ１３４と第１電源供給部１５１との間には、ＣＰＵ１３１、ＲＯＭ１３２およびＨＤＤ１３４への電力の供給と停止とを切り替えるスイッチ１５８が配置される。
【００３７】
また、プリンタ部１０５と第３電源供給部１５３との間には、プリンタ部１０５への電力の供給と停止とを切り替えるスイッチ１５９が配置される。また、スキャナ部１０４と第３電源供給部１５３との間には、スキャナ部１０４への電力の供給と停止とを切り替えるスイッチ１６０が配置される。
【００３８】
また、ネットワークＩ／Ｆ１３８と第１電源供給部１５１との間には、ネットワークＩ／Ｆ１３８への電力の供給と停止とを切り替えるスイッチ１６１が配置される。また、操作部１０６の節電ボタン１０６ｃと第１電源供給部１５１との間には、節電ボタン１０６ｃへの電力の供給と停止とを切り替えるスイッチ１６２が配置される。
【００３９】
印刷装置１０３は、スタンバイ状態と、スタンバイ状態より消費電力の少ない省電力状態（サスペンド状態（第１省電力状態）、スリープ状態（第２省電力状態））と、で動作する。図３に示すように、スタンバイ状態では、印刷装置１０３の各部に電力が供給されている。
【００４０】
スタンバイ状態で、操作部１０６がユーザによって所定時間操作されず、且つ、ネットワークＩ／Ｆ１３８が前記所定時間パケットを受信しなかった場合、印刷装置１０３は、図４に示すように、スリープ状態に移行する。このスリープ状態では、第１電源系統デバイスの電源制御部１３５、節電ボタン１０６ｃ、ネットワークＩ／Ｆ１３８およびＲＡＭ１３３に電力が供給されるが、その他の第１電源系統デバイス、第２電源系統デバイスおよび第３電源系統デバイスには電力が供給されない。
【００４１】
スリープ状態では、印刷制御装置１０２からラスター画像データ又は制御情報を受信した場合に、スタンバイ状態に復帰可能である。
【００４２】
また、印刷装置１０３は、電源スイッチ１５４のシーソースイッチ１５４ａがオフ状態にされた場合に、図５に示すように、サスペンド状態に移行する。このサスペンド状態では、第１電源系統デバイスの電源制御部１３５およびＲＡＭ１３３に電力が供給されるが、その他の第１電源系統デバイス、第２電源系統デバイスおよび第３電源系統デバイスには電力が供給されない。
【００４３】
サスペンド状態では、メインメモリであるＲＡＭ１３３に、印刷装置１０３がサスペンド状態に移行する直前の作業状態が記憶される。本実施形態では、印刷装置１０３は、サスペンド状態に移行する前に、リブートを実行する。そして、リブート後の状態が作業状態としてＲＡＭ１３３に記憶される。そして、印刷装置１０３がサスペンド状態から復帰する場合には、ＲＡＭ１３３に記憶される前記作業状態を用いることができるので、ＯＳやアプリケーションを起動する場合に比べて、高速起動することができる。
【００４４】
また、印刷装置１０３は、電源スイッチ１５４のシーソースイッチ１５４ａがオフ状態にされた場合に、所定の条件で、サスペンド状態に移行せずに、図６に示すように、電源オフ状態に移行する。所定の条件とは、サスペンド状態に移行するのがユーザ設定で禁止されていること（図１１の画面で“ＯＦＦ”が選択されている場合）や、所定時間以上電源オフ状態になっていないこと等である。
【００４５】
なお、印刷装置１０３は、スタンバイ状態および省電力状態（スリープ状態、サスペンド状態）とは異なる電力状態となって良いことは言うまでもない。例えば、印刷装置１０３は、印刷装置１０３の電源を切る直前の状態をＨＤＤ１３４に保存して、次に電源を入れたときに電源を切る直前の状態から作業を再開するハイバネーション状態となっても良い。
【００４６】
次に、電源制御部１３５の詳細について説明する。
【００４７】
電源制御部１３５は、回路の書き変えが可能なプログラムの書き換えが可能なロジック回路である。本実施形態の電源制御部１３５は、ＣＰＬＤ（Ｃｏｍｐｌｅｘ  Ｐｒｏｇｒａｍｍａｂｌｅ  Ｌｏｇｉｃ  Ｄｅｖｉｃｅ）である。
【００４８】
電源制御部１３５は、印刷装置１０３を省電力状態から復帰させるための復帰要因を検知する。
【００４９】
スリープ状態では、以下に示す復帰要因を検知するためにネットワークＩ／Ｆ１３８、操作部１０６の節電ボタン１０６ｃ、電源制御部１３５およびＲＡＭ１３３に電力が供給されているが、その他の箇所への電力供給は停止されている。
・印刷制御装置１０２から起床パケットを受信したこと
・ユーザによって節電ボタン１０６ｃが押下されたこと
また、サスペンド状態では、以下に示す復帰要因を検知するために電源制御部１３５およびＲＡＭ１３３に電力が供給されているが、その他の箇所への電力供給は停止されている。
・電源スイッチ１５４のシーソースイッチ１５４ａがオン状態になったこと
ネットワークＩ／Ｆ１３８が起床パケットを受信した場合には、電源制御部１３５に入力される復帰信号ＷＡＫＥ＿ＬＡＮがＨｉレベルになる。また、ユーザによって節電ボタン１０６ｃが押下された場合には、電源制御部１３５に入力される復帰信号ＫＥＹがＨｉレベルになる。
【００５０】
印刷装置１０３がスリープ状態のときに、復帰信号ＷＡＫＥ＿ＬＡＮまたは復帰信号ＫＥＹがＨｉレベルになった場合、電源制御部１３５は、信号ＣＯＮＴ、信号ＰＲＩＮＴ、信号ＳＣＡＮ、信号ＲＥＬＡＹをＨｉレベルにする。これにより、スイッチ１５６−１６２がＯＮされて、印刷装置１０３がスタンバイ状態になる。
【００５１】
また、電源スイッチ１５４のシーソースイッチ１５４ａがオン状態になった場合には、電源制御部１３５に入力される信号ＳＥＥＳＡＷがＨｉレベルになる。
【００５２】
印刷装置１０３がサスペンド状態のときに、信号ＳＥＥＳＡＷがＨｉレベルになると、電源制御部１３５は、信号ＣＯＮＴ、信号ＮＷ、信号ＰＲＩＮＴ、信号ＳＣＡＮ、信号ＲＥＬＡＹをＨｉレベルにする。これにより、スイッチ１５６−１６２がＯＮされて、印刷装置１０３がスタンバイ状態になる。
【００５３】
印刷制御装置１０２も、省電力状態に移行可能である。印刷制御装置１０２が省電力状態に移行した場合、ＣＰＵ１２１、メモリ１２２、ＨＤＤ１２３およびビデオＩ／Ｆ１２４への電力供給が停止される。一方で、省電力状態でも、内部ネットワークＩ／Ｆ１２５および外部ネットワークＩ／Ｆ１２６には、電力が供給される。
【００５４】
印刷制御装置１０２が省電力状態のときに、クライアントコンピュータ１０１から印刷ジョブを受信したならば、省電力状態からスタンバイ状態（各ユニットに電力が供給される状態）に復帰する。そして、印刷制御装置１０２は、スタンバイ状態で、受信した印刷ジョブに従って生成したラスター画像データを印刷装置１０３に送信する。
【００５５】
図７は、印刷装置が省電力状態に移行する場合に実行するフローチャートである。このフローチャートの各ステップは、印刷装置１０３のＣＰＵ１３１が記憶装置（ＲＯＭ１３２、ＨＤＤ１３４）に格納されたプログラムを実行する。
【００５６】
スタンバイ状態において、ＣＰＵ１３１は、スリープ状態に移行するまでの時間（スリープ移行時間）のカウントを開始する（Ｓ７０１）。そして、ＣＰＵ１３１は、スリープ移行時間がカウントアップしたか否かを判断する（Ｓ７０２）。スリープ移行時間がカウントアップした場合（Ｓ７０２：Ｙｅｓ）、ＣＰＵ１３１は、ネットワークＩ／Ｆ１３８に、印刷制御装置１０２に対して印刷装置１０３がスリープ状態に移行することを通知させる（Ｓ７０９）。そして、ＣＰＵ１３１は、印刷装置１０３をスリープ状態に移行させる（Ｓ７１０）。
【００５７】
Ｓ７０２の判断の結果、スリープ移行時間がカウントアップしていない場合（Ｓ７０２：Ｎｏ）、ＣＰＵ１３１は、節電ボタン１０６ｃが押下されたか否かを判断する（Ｓ７０３）。節電ボタン１０６ｃが押下された場合（Ｓ７０３：Ｙｅｓ）、上記したＳ７０９およびＳ７１０の処理を実行する。
【００５８】
Ｓ７０３の判断の結果、節電ボタン１０６ｃが押下されていない場合（Ｓ７０３：Ｎｏ）、電源スイッチ１５４のシーソースイッチ１５４ａがオフ状態になったか否かを判断する（Ｓ７０４）。シーソースイッチ１５４ａがオフ状態になった場合（Ｓ７０４：Ｙｅｓ）、ＣＰＵ１３１は、ネットワークＩ／Ｆ１３８に、印刷制御装置１０２に対して印刷装置１０３がサスペンド状態に移行することを通知させる（Ｓ７０７）。そして、ＣＰＵ１３１は、印刷装置１０３をサスペンド状態に移行させる（Ｓ７０８）。
【００５９】
そして、Ｓ７０４の判断の結果、シーソースイッチ１５４ａがオフ状態になっていない場合（Ｓ７０４：Ｎｏ）、ＣＰＵ１３１は、操作部１０６が操作されたか否か、若しくは、起床パケットを受信したか否かを判断する（Ｓ７０５）。操作部１０６が操作された場合、若しくは、起床パケットを受信した場合（Ｓ７０５：Ｙｅｓ）、カウントされた時間をクリアする（Ｓ７０６）。これに対して、操作部１０６が操作されず、且つ、起床パケットを受信しない場合（Ｓ７０５：Ｎｏ）、スリープ移行時間のカウントを継続する。
【００６０】
図８は、印刷装置が省電力状態（サスペンド状態、スリープ状態）から復帰する場合に実行するフローチャートである。このフローチャートの各ステップは、印刷装置１０３の電源制御部１３５が実行する。
【００６１】
省電力状態において、電源制御部１３５は、復帰要因を検知したか否かを判断する（Ｓ８０１）。復帰要因が検知された場合、電源制御部１３５は、当該復帰要因を保持する（Ｓ８０２）。復帰要因としてシーソースイッチ１５４ａがオン状態になった（信号ＳＥＥＳＡＷがＨｉレベルになった）場合には（Ｓ８０３：Ｙｅｓ）、電源制御部１３５は、信号ＮＷ、信号ＣＯＮＴ、信号ＰＲＩＮＴ、信号ＳＣＡＮおよび信号ＲｅｌａｙをＨｉレベルにする（Ｓ８０４）。これにより、印刷装置１０３は、サスペンド状態からスタンバイ状態に移行する。
【００６２】
また、復帰要因として節電ボタン１０６ｃが押下された（信号ＫＥＹがＨｉレベルになった）場合には（Ｓ８０５：Ｙｅｓ）、電源制御部１３５は、信号ＣＯＮＴ、信号ＰＲＩＮＴ、信号ＳＣＡＮおよび信号ＲｅｌａｙをＨｉレベルにする（Ｓ８０６）。これにより、印刷装置１０３は、スリープ状態からスタンバイ状態に移行する。
【００６３】
また、復帰要因として起床パケットを受信した（信号ＷＡＫＥ＿ＬＡＮがＨｉレベルになった）場合には（Ｓ８０７：Ｙｅｓ）、電源制御部１３５は、信号ＣＯＮＴ、信号ＰＲＩＮＴ、信号ＳＣＡＮおよび信号ＲｅｌａｙをＨｉレベルにする（Ｓ８０６）。これにより、印刷装置１０３は、スリープ状態からスタンバイ状態に移行する。
【００６４】
図９は、印刷制御装置を省電力状態から復帰させるフローチャートである。このフローチャートの各ステップは、ＣＰＵ１３１が記憶装置（ＲＯＭ１３２、ＨＤＤ１３４）に格納されたプログラムを実行する。
【００６５】
電力が供給されたＣＰＵ１３１は、図８のＳ８０２で保持した復帰要因を読み出す（Ｓ９０１）。そして、読み出した復帰要因が電源スイッチ１５４のシーソースイッチ１５４ａがオン状態になったことである場合、ＣＰＵ１３１は、印刷制御装置１０２の電源スイッチをオンにして、電源オフ状態の印刷制御装置１０２をスタンバイ状態にする。
【００６６】
また、読み出した復帰要因が、節電ボタン１０６ｃが押下されたこと、若しくは、起床パケットを受信したことである場合、ＣＰＵ１３１は、印刷制御装置１０２に起床パケットを送信して、印刷制御装置１０２を省電力状態から復帰させる。
【００６７】
図１０は、印刷制御装置の動作を示したフローチャートである。このフローチャートの各ステップは、印刷制御装置１０２のＣＰＵ１２１が実行する。
【００６８】
印刷制御装置１０２の電源がオンになると、ＣＰＵ１２１は、印刷装置１０３の認証を行う（Ｓ１００１）。そして、認証が成功すると、ＣＰＵ１２１は、印刷装置１０３の各種情報（印刷装置１０３の構成情報、印刷装置１０３のメディア情報、印刷装置１０３にセットされるトナーの残量情報など）を取得する（Ｓ１００２）。
【００６９】
そして、ＣＰＵ１２１は、クライアントコンピュータ１０１からパケットを受信したか否かを判断する（Ｓ１００３）。パケットを受信したと判断した場合には（Ｓ１００３：Ｙｅｓ）、当該パケットが印刷装置１０３から送信されたスリープ状態への移行通知か否かを判断する（Ｓ１００４）。スリープ状態への移行通知を受信した場合、ＣＰＵ１２１は、印刷制御装置１０２をスタンバイ状態からスリープ状態に移行させる（Ｓ１００５）。
【００７０】
また、受信したパケットが印刷装置１０３から送信されたサスペンド状態への移行通知か否かを判断する（Ｓ１００６）。サスペンド状態への移行通知を受信した場合、ＣＰＵ１２１は、印刷制御装置１０２のシャットダウン処理を実行する（Ｓ１００７）。そして、印刷制御装置１０２をオフ状態にする（Ｓ１００８）。
【００７１】
一方、受信したパケットが印刷ジョブである場合には（Ｓ１００９：Ｙｅｓ）、当該印刷ジョブに基づいて、ＲＩＰ処理を実行して、ラスター画像データを生成する（Ｓ１０１０）。そして、生成したラスター画像データおよび当該ラスター画像データを使った印刷を実行させるためのコマンドなどを含む制御情報を印刷装置１０３に送信する（Ｓ１０１１）。
【００７２】
＜第１実施形態の効果＞
上記構成によれば、印刷装置１０３がサスペンド状態に移行した場合には印刷制御装置１０２は電源オフ状態に移行し、印刷装置１０３がスリープ状態に移行した場合には印刷制御装置１０２は省電力状態に移行する。これにより、印刷装置１０３がサスペンド状態に移行して、印刷制御装置１０２からラスター画像データや制御情報を受信できない状態のときに、印刷制御装置１０２を電源オフ状態にすることによって、印刷制御装置１０２だけでなく印刷システム全体の省電力化を図ることができる。
【００７３】
また、印刷装置１０３がスリープ状態のときに、印刷制御装置１０２を省電力状態に移行することによって、印刷システムの全体としての消費電力を抑えることができる。また、印刷制御装置１０２を省電力状態にすることによって、クライアントコンピュータ１０１から印刷ジョブを受信したときに、印刷制御装置１０２は省電力状態から復帰して印刷装置１０３に対してラスター画像データや制御情報を送信することができる。これにより、クライアントコンピュータ１０１からの印刷ジョブに応じて印刷装置１０３を省電力状態から復帰させることができる。
【００７４】
［第２実施形態］
上記した第１実施形態では、シーソースイッチ１５４ａがオフ状態にされた場合に、印刷装置１０３がサスペンド状態に移行する例について説明した。第２実施形態では、シーソースイッチ１５４ａがオフ状態にされた場合に、サスペンド状態に移行するか電源オフ状態にするかを切り替えることができる。
【００７５】
図１１は、高速起動を有効にするか無効にするかを選択するための画面である。
【００７６】
高速起動を有効にした場合、ユーザがシーソースイッチ１５４ａをオフ状態にすると、印刷装置１０３はサスペンド状態に移行する。これに対して、高速起動を無効にした場合、ユーザがシーソースイッチ１５４ａをオフ状態にすると、印刷装置１０３は電源オフ状態に移行する。
【００７７】
図１２は、第２実施形態の印刷装置が省電力状態に移行する場合に実行するフローチャートである。このフローチャートの各ステップは、印刷装置１０３のＣＰＵ１３１が実行する。
【００７８】
スタンバイ状態において、ＣＰＵ１３１は、スリープ状態に移行するまでの時間（スリープ移行時間）のカウントを開始する（Ｓ１２０１）。そして、ＣＰＵ１３１は、スリープ移行時間がカウントアップしたか否かを判断する（Ｓ１２０２）。スリープ移行時間がカウントアップした場合（Ｓ１２０２：Ｙｅｓ）、ＣＰＵ１３１は、ネットワークＩ／Ｆ１３８に、印刷制御装置１０２に対して印刷装置１０３がスリープ状態に移行することを通知させる（Ｓ１２１１）。そして、ＣＰＵ１３１は、印刷装置１０３をスリープ状態に移行させる（Ｓ１２１２）。
【００７９】
Ｓ１２０２の判断の結果、スリープ移行時間がカウントアップしていない場合（Ｓ１２０２：Ｎｏ）、ＣＰＵ１３１は、節電ボタン１０６ｃが押下されたか否かを判断する（Ｓ１２０３）。節電ボタン１０６ｃが押下された場合（Ｓ１２０３：Ｙｅｓ）、上記したＳ１２１１およびＳ１２１２の処理を実行する。
【００８０】
Ｓ１２０３の判断の結果、節電ボタン１０６ｃが押下されていない場合（Ｓ１２０３：Ｎｏ）、電源スイッチ１５４のシーソースイッチ１５４ａがオフ状態になったか否かを判断する（Ｓ１２０４）。シーソースイッチ１５４ａがオフ状態になった場合（Ｓ１２０４：Ｙｅｓ）、ＣＰＵ１３１は、ネットワークＩ／Ｆ１３８に、電源スイッチ１５４がオフ状態になったことを通知させる（Ｓ１２０７）。
【００８１】
そして、第２実施形態では、ネットワークＩ／Ｆ１３８によって電源スイッチ１５４がオフ状態になったことが通知された後、ＣＰＵ１３１は、高速起動が有効か否かを判断する（Ｓ１２０８）。高速起動の有効および無効の設定は、図１１の画面でユーザによって設定される。高速起動が無効の場合（Ｓ１２０８：Ｎｏ）、ＣＰＵ１３１は、印刷装置１０３のシャットダウン処理を実行する（Ｓ１２０９）。シャットダウン処理とは、ファイルのクローズ処理、実行されるアプリケーションプログラムの終了処理、各種入出力装置との通信の切断、ＯＳの終了処理などである。これにより、印刷装置１０３が電源オフ状態になる（Ｓ１２１０）。
【００８２】
一方で、高速機能が有効の場合（Ｓ１２０８：Ｙｅｓ）、ＣＰＵ１３１は、印刷装置１０３をサスペンド状態に移行させる（Ｓ１２１３）。
【００８３】
そして、Ｓ１２０４の判断の結果、シーソースイッチ１５４ａがオフ状態になっていない場合（Ｓ１２０４：Ｎｏ）、ＣＰＵ１３１は、操作部１０６が操作されたか否か、若しくは、起床パケットを受信したか否かを判断する（Ｓ１２０５）。操作部１０６が操作された場合、若しくは、起床パケットを受信した場合（Ｓ１２０５：Ｙｅｓ）、カウントされた時間をクリアする（Ｓ１２０６）。これに対して、操作部１０６が操作されず、且つ、起床パケットを受信しない場合（Ｓ１２０５：Ｎｏ）、スリープ移行時間のカウントを継続する。
【００８４】
図１３は、印刷制御装置の動作を示したフローチャートである。このフローチャートの各ステップは、印刷制御装置１０２のＣＰＵ１２１が実行する。
【００８５】
印刷制御装置１０２の電源がオンになると、ＣＰＵ１２１は、印刷装置１０３の認証を行う（Ｓ１３０１）。そして、認証が成功すると、ＣＰＵ１２１は、印刷装置１０３の各種情報（印刷装置１０３の構成情報、印刷装置１０３のメディア情報、印刷装置１０３にセットされるトナーの残量情報など）を取得する（Ｓ１３０２）。
【００８６】
そして、ＣＰＵ１２１は、クライアントコンピュータ１０１からパケットを受信したか否かを判断する（Ｓ１３０３）。パケットを受信したと判断した場合には（Ｓ１３０３：Ｙｅｓ）、当該パケットが印刷装置１０３から送信されたスリープ状態への移行通知か否かを判断する（Ｓ１３０４）。スリープ状態への移行通知を受信した場合、ＣＰＵ１２１は、印刷制御装置１０２をスタンバイ状態からスリープ状態に移行させる（Ｓ１３０５）。
【００８７】
また、受信したパケットが印刷装置１０３から送信された電源スイッチ１５４がオフ状態になったことが通知されたか否かを判断する（Ｓ１３０６）。電源スイッチ１５４がオフ状態になったことが通知された場合、ＣＰＵ１２１は、印刷制御装置１０２のシャットダウン処理を実行する（Ｓ１３０７）。そして、印刷制御装置１０２をオフ状態にする。
【００８８】
一方、受信したパケットが印刷ジョブである場合には（Ｓ１３０８：Ｙｅｓ）、当該印刷ジョブに基づいて、ＲＩＰ処理を実行して、ラスター画像データを生成する（Ｓ１３００９）。そして、生成したラスター画像データおよび制御情報を印刷装置１０３に送信する（Ｓ１３１０）。
【００８９】
［第３実施形態］
上記した第１実施形態および第２実施形態では、印刷装置１０３の電力状態と印刷制御装置１０２の電力状態とを連動させる例について説明した。この第３実施形態では、印刷装置１０３の電力状態と印刷制御装置１０２の電力状態とを連動させるか否かをユーザが選択することができる。
【００９０】
図１４は、印刷装置の電力状態と印刷制御装置の電力状態とを連動させるかどうかを選択する画面である。
【００９１】
図１４に示した画面でユーザが“ＯＮ”を選択した場合、印刷装置１０３のシーソースイッチ１５４ａがオフ状態されると、印刷装置１０３がサスペンド状態に移行するのに連動して、印刷制御装置１０２が電源オフ状態に移行する。これに対して、図１４に示した画面でユーザが“ＯＦＦ”を選択した場合、印刷装置１０３のシーソースイッチ１５４ａがオフ状態されても、印刷制御装置１０２は、電源オフ状態に移行しない。
【００９２】
図１５は、第３実施形態の印刷制御装置が実行するフローチャートである。このフローチャートの各ステップは、印刷制御装置１０２のＣＰＵ１２１が実行する。
【００９３】
印刷制御装置１０２の電源がオンになると、ＣＰＵ１２１は、印刷装置１０３の認証を行う（Ｓ１５０１）。そして、認証が成功すると、ＣＰＵ１２１は、印刷装置１０３の各種情報（印刷装置１０３の構成情報、印刷装置１０３のメディア情報、印刷装置１０３にセットされるトナーの残量情報など）を取得する（Ｓ１５０２）。
【００９４】
そして、ＣＰＵ１２１は、クライアントコンピュータ１０１からパケットを受信したか否かを判断する（Ｓ１５０３）。パケットを受信したと判断した場合には（Ｓ１５０３：Ｙｅｓ）、当該パケットが印刷装置１０３から送信されたスリープ状態への移行通知か否かを判断する（Ｓ１５０４）。スリープ状態への移行通知を受信した場合、ＣＰＵ１２１は、印刷制御装置１０２をスタンバイ状態からスリープ状態に移行させる（Ｓ１５０５）。
【００９５】
また、受信したパケットが印刷装置１０３から送信されたサスペンド状態への移行通知か否かを判断する（Ｓ１５０６）。サスペンド状態への移行通知を受信した場合、本実施形態では、ＣＰＵ１２１は、電源連動するか否かを判断する（Ｓ１５０７）。具体的には、ＣＰＵ１２１は、印刷装置１０３に対して電源連動するかどうかを問い合わせて、印刷装置１０３から電源連動するかどうかを示す情報を取得する。電源連動するかどうかは、図１４に示した画面でユーザが選択する。
【００９６】
印刷装置１０３の電力状態と印刷制御装置１０２の電力状態とが連動する設定の場合（図１４の画面で“ＯＮ”が選択された場合）、ＣＰＵ１２１は、印刷制御装置１０２のシャットダウン処理を実行する（Ｓ１５０８）。そして、印刷制御装置１０２をオフ状態にする。
【００９７】
これに対して、印刷装置１０３の電力状態と印刷制御装置１０２の電力状態とが連動しない設定の場合（図１４の画面で“ＯＦＦ”が選択された場合）、印刷制御装置１０２の電力状態を変更せずに、Ｓ１５０３の処理に戻る。
【００９８】
一方、受信したパケットが印刷ジョブである場合には（Ｓ１５１０：Ｙｅｓ）、当該印刷ジョブに基づいて、ＲＩＰ処理を実行して、ラスター画像データを生成する（Ｓ１５１１）。そして、生成したラスター画像データおよび当該ラスター画像データを使った印刷を実行させるためのコマンドなどを含む制御情報を印刷装置１０３に送信する（Ｓ１５１２）。
【００９９】
［他の実施形態］
第１実施形態、第２実施形態および第３実施形態では、本発明の第１省電力状態としてサスペンド状態を例に説明したが、当該第１省電力状態はハイバネーション状態であっても良い。
【０１００】
本実施形態におけるフローチャートに示す機能は、ネットワーク又は各種記憶媒体を介して取得したソフトウェア（プログラム）をコンピュータパソコン等の処理装置（ＣＰＵ、プロセッサ）にて実行することでも実現できる。
【符号の説明】
【０１０１】
１００  印刷システム
１０２  印刷制御装置
１０３  印刷装置
１２１  ＣＰＵ
１２５  内部ネットワークＩ／Ｆ
１３１  ＣＰＵ
１３３  ＲＡＭ
１３５  電源制御部
１３８  ネットワークＩ／Ｆ
１５４  電源スイッチ
１５４ａ  シーソースイッチ
【図１】
2020053087.tif 000003
【図２】
2020053087.tif 000004
【図３】
2020053087.tif 000005
【図４】
2020053087.tif 000006
【図５】
2020053087.tif 000007
【図６】
2020053087.tif 000008
【図７】
2020053087.tif 000009
【図８】
2020053087.tif 000010
【図９】
2020053087.tif 000011
【図１０】
2020053087.tif 000012
【図１１】
2020053087.tif 000013
【図１２】
2020053087.tif 000014
【図１３】
2020053087.tif 000015
【図１４】
2020053087.tif 000016
【図１５】
2020053087.tif 000017